(57)【特許請求の範囲】
【請求項１】
上水道配水管に接続された地下式消火栓から不断水で配水管内の流量を測定する流量測定器であって、
前記地下式消火栓は、配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれるボール式消火栓とされており、
消火栓から配水管内に水密状態に差し込まれる挿入棒と、
下端部が消火栓の口金に装着可能とされ、上端部がパッキンを介して水密状態で挿入棒を上方へ導出可能とされ、挿入棒を消火栓に対して位置決めする保持手段と、
挿入棒の先端部に設置された流量センサーとを備え、
前記保持手段は、
下端部を消火栓のフランジに引っ掛けられる下枠と、
その下枠とターンバックルを介して上下動可能に連結される上枠と、
この上枠に保持され下端部が消火栓の口金に装着可能とされ、上端部がパッキンを介して水密状態で挿入棒を上方へ導出可能とする案内部と、
前記上枠に保持され、挿入棒の上端部にスプリングを介して設置される圧力ジャッキと
を備えたことを特徴とする流量測定器。
【請求項２】
前記流量センサーからのデータは、消火栓マンホール内の上部に設置された流量計コントロールユニットにて収集記録される
ことを特徴とする請求項１に記載の流量測定器。
【請求項３】
上水道配水管に接続された地下式消火栓から不断水で配水管内の流量を測定する流量測定器であって、
前記地下式消火栓は、配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれるボール式消火栓とされており、
消火栓から配水管内に水密状態に差し込まれる挿入棒と、
下端部が消火栓の口金に装着可能とされ、上端部がパッキンを介して水密状態で挿入棒を上方へ導出可能とされ、挿入棒を消火栓に対して位置決めする保持手段と、
挿入棒の先端部に設置された流量センサーとを備え、
前記流量センサーからのデータは、消火栓マンホール内の上部に設置された流量計コントロールユニットにて収集記録される
ことを特徴とする流量測定器。
【請求項４】
配水管に接続された消火栓から不断水で配水管内の状況を観察する際に利用される内視鏡挿入器であって、
下端部を消火栓の口金に装着されて設置される外筒と、
この外筒内に差し込まれる送り棒と、
送り棒の先端に取り付けられ、送り棒の押し込みにより内視鏡を共に移動可能とされ、ガイド板にて内視鏡の進行方向を誘導するカメラガイドと、
外筒の上端部に設けられ、前記内視鏡のケーブル及び送り棒を水密状態で導出するパッキンと
を備えたことを特徴とする内視鏡挿入器。
【請求項５】
前記カメラガイドの下端部には、上下動可能にガイド棒が設けられ、
カメラガイドの側壁には、略くの字形のガイド板の一端部が保持され、
前記ガイド棒が上方に押し込まれることでガイド板は、前記保持された一端部を中心に回転してその他端部を略水平方向に向けられる
ことを特徴とする請求項４に記載の内視鏡挿入器。
【請求項６】
消火栓の湾曲した管路に沿って前記カメラガイドを押出し可能に、前記送り棒若しくはその一部が変形可能とされている
ことを特徴とする請求項５に記載の内視鏡挿入器。
【請求項７】
前記送り棒若しくはその一部は、複数本のパイプが上下方向に連接されてなり、
隣接するパイプ同士は、上側のパイプの下端部と、下側のパイプの上端部とが、直径方向に差し込まれるピン部材により揺動可能に連結されており、
各ピン部材は、送り棒の軸方向に沿って配置されている
ことを特徴とする請求項６に記載の内視鏡挿入器。
【請求項８】
前記送り棒若しくはその一部は、複数本のパイプが上下方向に連接されてなり、
隣接するパイプ同士は、上側のパイプの下端部と、下側のパイプの上端部とが、周側壁の直径方向に対向した二ヶ所においてそれぞれピン部材により揺動可能に連結されており、
前記ピン部材は、上下方向に連接されるパイプの軸方向に沿って配置され、
パイプ内部には、内視鏡のケーブルが通される
ことを特徴とする請求項６に記載の内視鏡挿入器。
【請求項９】
前記消火栓は、上水道配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれる地下式ボール式消火栓とされている
ことを特徴とする請求項４又は請求項５に記載の内視鏡挿入器。
【請求項１０】
前記パッキンは、前記送り棒ないし前記内視鏡のケーブルを側面から挟み込むように設置される割シールとされており、
送り棒と内視鏡のケーブルを進退可能で且つ、水密状態に保持する
ことを特徴とする請求項４から請求項９までのいずれかに記載の内視鏡挿入器。
【請求項１１】
前記送り棒とカメラガイドとの間、又は前記送り棒とそれを操作するハンドルとの間、及び前記内視鏡とそのケーブルとの間が着脱可能に構成されている
ことを特徴とする請求項４から請求項１０までのいずれかに記載の内視鏡挿入器。
【請求項１２】
前記パッキンが収納されるパッキンボックスが、前記外筒の上端部又は消火栓の口金に着脱可能に設置される
ことを特徴とする請求項１１に記載の内視鏡挿入器。
【請求項１３】
前記外筒は、水質監視計へ送水するための採水口を備えた
ことを特徴とする請求項４から請求項１２までのいずれかに記載の内視鏡挿入器。
【請求項１４】
前記外筒は、送り棒上端部に設置されたハンドルと締結可能な取っ手を備えた
ことを特徴とする請求項４から請求項１３までのいずれかに記載の内視鏡挿入器。
【請求項１５】
前記外筒は、圧力計を設置可能とされた
ことを特徴とする請求項４から請求項１４までのいずれかに記載の内視鏡挿入器。
【請求項１６】
前記内視鏡のケーブルは、オゾン滅菌装置を介して外筒へ挿入される
ことを特徴とする請求項４から請求項１５までのいずれかに記載の内視鏡挿入器。
【請求項１７】
前記送り棒の上端部に設置されるハンドルの回転により、内視鏡の進行方向が変更可能である
ことを特徴とする請求項４から請求項１６までのいずれかに記載の内視鏡挿入器。
【請求項１８】
前記ガイド板の先端部の方向を示す印を前記ハンドルに付すことで内視鏡の進行方向が確認可能とされた
ことを特徴とする請求項１７に記載の内視鏡挿入器。
【請求項１９】
請求項４から請求項１８までのいずれかに記載の内視鏡を制御ないし内視鏡から送られてくる映像を記録する機器、もしくは請求項１３から請求項１８までのいずれかに記載の水質監視計が搭載され、
その水質監視計は前後、左右に略水平に保持可能な台上に設置されている
ことを特徴とする車両。
【請求項２０】
消火栓の口金に取り付けられる緊急消火活動用消火栓ソケットであって、
その消火栓ソケットの出口側は二叉になっており、
一方の分岐管には請求項１から請求項３までのいずれかに記載の流量測定器もしくは、請求項４から請求項１８までのいずれかに記載の内視鏡挿入器が取り付け可能とされており、
他方の分岐管には消火ホースが装着可能で、且つこの他方の分岐管は弁により開閉可能とされている
ことを特徴とする消火栓ソケット。
【請求項２１】
配水管に接続された消火栓から不断水で配水管内の状況を観察する際に、消火栓に着脱可能に取り付けられ、配水管に入れられる内視鏡のケーブルを水密状態で且つ進退可能に外部へ導出するパッキンが収納された
ことを特徴とするパッキンボックス。
【発明の詳細な説明】
【０００１】
【発明の属する技術分野】
本発明は、不断水で上水道配水管内の漏水、水質、流量、流速や流向又、錆瘤、気泡、残存物等の調査を行う際に利用される機器に関するものである。
【０００２】
【従来の技術】
従来、流量計は各浄水場、配水場での固定式が多かった。また、水質監視計は、浄水場等の送水管近くに設置されていた。また、管内調査を行う際には、配水管に適宜の間隔で設置された図１０に示す仕切り弁７２や７７を閉め、断水をしてから調査を行っていた。
【０００３】
【発明が解決しようとする課題】
しかしながら、従来の方法では、各家庭に供給される管末付近の水質管理が難しく、また上水道配水管内の水質、流量、流速や流向又、錆瘤、気泡、残存物の調査を、移動式に行うことは容易ではなかった。さらに、断水を行って調査をすることは住民や店舗に迷惑を掛けてしまい、加えて、断水後に水道から赤水が出るなどの不都合が生じていた。また、管路内マッピングというものが全くなかった。
【０００４】
本発明は、上記事情に鑑みてなされたものであり、その主たる目的は配水管内のトータル的且つ移動による調査を、ほぼ１００メートル間隔に設置されている地下式消火栓を用いることで、容易に不断水でほぼ全管行うことができる機器を提供することにある。
【０００５】
【課題を解決するための手段】
上記課題を解決するために、本発明は、上水道配水管に接続された地下式消火栓から不断水で配水管内の流量を測定する流量測定器であって、前記地下式消火栓は、配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれるボール式消火栓とされており、消火栓から配水管内に水密状態に差し込まれる挿入棒と、下端部が消火栓の口金に装着可能とされ、上端部がパッキンを介して水密状態で挿入棒を上方へ導出可能とされ、挿入棒を消火栓に対して位置決めする保持手段と、挿入棒の先端部に設置された流量センサーとを備え、前記保持手段は、下端部を消火栓のフランジに引っ掛けられる下枠と、その下枠とターンバックルを介して上下動可能に連結される上枠と、この上枠に保持され下端部が消火栓の口金に装着可能とされ、上端部がパッキンを介して水密状態で挿入棒を上方へ導出可能とする案内部と、前記上枠に保持され、挿入棒の上端部にスプリングを介して設置される圧力ジャッキとを備えたことを特徴とする流量測定器である。
【０００６】
また、好ましくは上記構成に加えて、前記流量センサーからのデータは、消火栓マンホール内の上部に設置された流量計コントロールユニットにて収集記録されることを特徴とする流量測定器である。
【０００７】
上記課題を解決するために、本発明は、上水道配水管に接続された地下式消火栓から不断水で配水管内の流量を測定する流量測定器であって、前記地下式消火栓は、配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれるボール式消火栓とされており、消火栓から配水管内に水密状態に差し込まれる挿入棒と、下端部が消火栓の口金に装着可能とされ、上端部がパッキンを介して水密状態で挿入棒を上方へ導出可能とされ、挿入棒を消火栓に対して位置決めする保持手段と、挿入棒の先端部に設置された流量センサーとを備え、前記流量センサーからのデータは、消火栓マンホール内の上部に設置された流量計コントロールユニットにて収集記録されることを特徴とする流量測定器である。
【０００８】
上記課題を解決するために、本発明は、配水管に接続された消火栓から不断水で配水管内の状況を観察する際に利用される内視鏡挿入器であって、下端部を消火栓の口金に装着されて設置される外筒と、この外筒内に差し込まれる送り棒と、送り棒の先端に取り付けられ、送り棒の押し込みにより内視鏡を共に移動可能とされ、ガイド板にて内視鏡の進行方向を誘導するカメラガイドと、外筒の上端部に設けられ、前記内視鏡のケーブル及び送り棒を水密状態で導出するパッキンとを備えたことを特徴とする内視鏡挿入器である。
【０００９】
また、好ましくは上記構成に加えて、前記カメラガイドの下端部には、上下動可能にガイド棒が設けられ、カメラガイドの側壁には、略くの字形のガイド板の一端部が保持され、前記ガイド棒が上方に押し込まれることでガイド板は、前記保持された一端部を中心に回転してその他端部を略水平方向に向けられることを特徴とする内視鏡挿入器である。
【００１０】
また、好ましくは上記いずれかの構成に加えて、前記パッキンは、前記送り棒ないし前記内視鏡のケーブルを側面から挟み込むように設置される割シールとされており、送り棒と内視鏡のケーブルを進退可能で且つ、水密状態に保持することを特徴とする内視鏡挿入器である。
【００１１】
また、好ましくは上記いずれかの構成に加えて、前記外筒は、水質監視計へ送水するための採水口を備えたことを特徴とする内視鏡挿入器である。
【００１２】
また、好ましくは上記いずれかの構成に加えて、前記外筒は、送り棒上端部に設置されたハンドルと締結可能な取っ手を備えたことを特徴とする内視鏡挿入器である。
【００１３】
また、好ましくは上記いずれかの構成に加えて、前記外筒は、圧力計を設置可能とされたことを特徴とする内視鏡挿入器である。
【００１４】
また、好ましくは上記いずれかの構成に加えて、前記内視鏡のケーブルは、オゾン滅菌装置を介して外筒へ挿入されることを特徴とする内視鏡挿入器である。
【００１５】
上記課題を解決するために、本発明は、前記内視鏡を制御ないし内視鏡から送られてくる映像を記録する機器、もしくは前記水質監視計が搭載され、その水質監視計は略水平に保持可能な台上に設置されていることを特徴とする車両である。
【００１６】
上記課題を解決するために、本発明は、消火栓の口金に取り付けられる消火栓ソケットであって、その消火栓ソケットの出口側は二叉になっており、一方の分岐管には前記流量測定器もしくは、前記内視鏡挿入器が取り付け可能とされており、他方の分岐管には消火ホースが接続可能で、且つこの他方の分岐管は弁により開閉可能とされていることを特徴とする消火栓ソケットである。これにより、測定中に緊急消火活動が必要な場合でも、調査装置をそのままの状態で消火活動ができる。
【００１７】
【発明の実施の形態】
以下、本発明の上水道配水管の調査を行うための機器、特に流量測定器と内視鏡挿入器を中心に、実施例に基づき更に詳細に説明する。なお、本実施例においてこれらの機器は、地下式ボール式消火栓７０に取り付けられる。これは図１０に示すように、地下に埋められた配水管７３に対して垂直上方に向けて設けられ、通常約１００メートル間隔で消火栓ボックス内に設置されている。なお、配水管７３にはサドルバンド７４が配置され、ここから各家庭に水が供給される。
この地下式ボール式消火栓は補修弁７１を備え、補修弁７１を介して配水管７３に消火栓本体部７５が設置される。本体部７５の上部には消火ホースと接続される口金１３が設けられている。
本体部７５の中には上下方向に管路が設けられ、その中途には球状のボール７６が配置されている。このボール７６には直径方向に貫通穴が形成されている。そして、このボール７６は、消火栓本体部７５の外方に配置されたハンドルの操作により回転可能とされている。従って、ボール７６の貫通穴を配水管７３から消火栓７０の口金１３に延びる前記管路と同軸に向けることで、弁を開くことができる。
【００１８】
図１は、本発明の流量測定器の一実施例を示す図である。
本実施例の流量測定器は、上述したように上水道配水管７３に接続された地下式ボール式消火栓７０に設置され、ここから流量を測定するものである。
本実施例の流量測定器は、消火栓７０から配水管７３内に水密状態に差し込まれる挿入棒１と、この挿入棒１を消火栓７０に対して位置決めする保持手段２と、挿入棒１の先端部に設置された流量センサー３を主要部として備える。
【００１９】
前記保持手段２は、下端部を補修弁７１付き消火栓７０のフランジａに引っ掛けられる下枠４と、その下枠４とターンバックル５を介して上下動可能に連結される上枠６と、この上枠６の上板６ａ中央部に保持され下端部が消火栓７０の口金１３に装着可能とされ、上端部がパッキン１０を介して水密状態で挿入棒１を上方へ導出可能とする案内部７と、前記上枠６に保持され、挿入棒１の上端部にコイルバネ８を介して設置される圧力ジャッキ９を備える。
【００２０】
上枠６と下枠４とをターンバックル５を介して接続したことにより、両枠材間の上下動がスムーズ且つスピーディに行われる。
上枠６の上板６ａ上面中央部には、パッキンボックス１１が設けられており、その内部に略円筒状のパッキン１０が配置され、このパッキン１０に挿入棒１が気密状態に貫通して配置される。なお挿入棒１は、パッキン１０に対して上下方向に進退可能である。
また、パッキンボックス１１は略円筒状の案内部７の上部と一体化されている。従って、消火栓７０からの水が外部に漏れ出ることはない。
また、上枠６の上板６ａ上面には、門形の補助上枠１２が立設されて固定され
る。この補助上枠１２の上面には圧力ジャッキ９が設置されている。
【００２１】
挿入棒１は細長い丸棒状とされ、先端は略半球状とされている。また、先端部周側面には、流量センサー３が設置されている。この流量センサー３は配水管７３の直径内に納まるように挿入棒１先端から上下方向に配置される。本実施例では、この流量センサー３は、電磁式のものが使用される。配水管７３の口径別にセンサー数は変わるが２００ｍｍの管路を測定する場合、挿入棒１の軸方向に等間隔で五つ設置される。そして、その平均値にて流量測定が可能とされている。
【００２２】
挿入棒１の上端部は、下方にのみ開口する略円筒状のバネ座１４に差し込まれている。バネ座１４の上面は平板状にふさがれている。なお、挿入棒１上端部とバネ座１４との間にはコイルバネ８が介在されている。
【００２３】
このような構成であるからまず、消火栓７０のフランジａに保持手段２の下枠４の下端部を引っ掛け、消火栓７０の口金１３に案内部７の下端部を取り付ける。案内部７下端部は、消火ホースの端部と同様の構成とされているので、ワンタッチで消火栓７０の口金１３に水密状態で取り付けることができる。そして、ターンバックル５を調整することで下枠４に対し上枠６を所望位置で固定が可能である。このとき挿入棒１の先端部は、案内部７に差し込まれている。
次に、消火栓７０のバルブを開け挿入棒１を配水管７３内に圧力ジャッキ９で押し込んでいく。なお、消火栓７０のバルブを開いても、水は案内部７上端のパッキン１０によって、外部に漏れ出る心配はない。また、挿入棒１を押し込んでいく際、圧力ジャッキ９でコイルバネ８を締めていき、いっぱいに締めた所で、補助上枠１２のナット１６を安全固定の為、補助上枠１２の上板１５で締める。圧力ジャッキ９で押し込むことで、挿入棒１が水圧に負けて上方に浮き上がる恐れはない。
【００２４】
挿入棒１の先端が配水管７３の底に到達したら、測定を開始する。挿入棒１の先端には流量センサー３が本実施例においては５個配置されており、その計測結果は挿入棒１内を通り、その上方へ導出されるケーブルで取り出すことができる。これにより、配水管７３内の流量や流速などの測定が可能である。
【００２５】
このように、流量測定器を使用することで、その箇所の流量を測定できるので、これを利用して配水管７３の漏水等を調べることができる。
配水管７３の漏水を調べるには、図２に示すように２点での流量を測定すればよい。上流側の流量から下流側の流量とその間にある各家庭の使用量を引けば漏水があるかどうかが判断できる。
また、図３のように配水管７３が分岐しているところでの流量比を調べたいときにはＸ地点、Ｙ地点とＺ地点でそれぞれ流量を測定すればよい。そして、その間にある各家庭の使用量を調べることで、どんな比で各管に流れ込んでいるかが分かる。例えば、管路Ｘ−Ｙと管路Ｘ−Ｚとの流量比が７対３で流れていることが把握できる。そして、その結果に基づいて、配水管７３の弁を調整することで所望の流量比に変えることもできる。つまり流量分布の把握ができ又調整ができることで、効率的な地域の水不足等の問題を少なくする事ができる。
【００２６】
本実施例では、流量計から得られたデータは流量計コントロールユニット２０に収集記録される（図２）。この流量計コントロールユニット２０は道路上においてもよいし、長時間の測定や道路事情により流量計コントロールユニット２０を外部に設置できない場合には、消火栓ボックス内の上部に設置することも可能である。
つまり、図２に示すように、流量コントロールユニット２０は消火栓ボックスの蓋２１ができるように消火栓ボックス上部に引っ掛けて、消火栓ボックス内に収納しておくことができる。また、後述する車へケーブルを引き込んで道路に停車した車内で収集するようにしてもよい。
【００２７】
次に、図４に示す内視鏡挿入器について説明する。
本実施例の内視鏡挿入器は、上水道配水管７３に接続された地下式ボール式消火栓７０から不断水で配水管７３内の状況を観察するために、配水管７３内に内視鏡３３を入れるのに使用される。
本実施例の内視鏡挿入器は、下端部を消火栓７０の口金１３に接続されて設置される外筒３０と、その外筒３０内に配置されるカメラガイド３１と、そのカメラガイド３１を上下動させる送り棒３２と、カメラガイド３１と共に移動可能な内視鏡３３と、外筒３０の上端部に設けられ、前記内視鏡のケーブル３４及び送り棒３２を外部へ水密状態で導出可能としたパッキン３５を主要部として備える。また、前記カメラガイド３１の下端部には、上下動可能にガイド棒３６が設けられ、カメラガイド３１の側壁には、略くの字形のガイド板３７の一端部が保持されている。
【００２８】
外筒３０は上筒３８と下筒３９の上下二段とされている。上筒３８は上下両端部にフランジを備える略円筒状に形成されている。下筒３９は上端部にフランジｃを形成され、下端部には、消火栓７０の口金１３への装着部が形成されており、これは消火ホースの端部と同様の構成とされているので、ワンタッチで消火栓７０の口金１３に水密状態で取り付けることができる。そして、上筒３８の下側のフランジｂと、下筒の上側のフランジｃとが水密状態に一体的に連結されて外筒３０が構成されている。
【００２９】
図５は、外筒３０（３８）上部を拡大して示す図であり、（Ａ）は断面図、（Ｂ）は平面図である。この図に示すように、上筒の上側のフランジには、水密状態にパッキンボックス４０が設置される。なお、図５において符号４１は、Ｏリングである。このパッキンボックス４０には二つの貫通穴が形成されており、送り棒３２と内視鏡のケーブル３４が上方に導出可能とされている。
【００３０】
図６は、内視鏡挿入器のカメラガイド３１側を示す図であり、（Ａ）は正面から見た縦断面図、（Ｂ）は側面から見た縦断面図である。この図に示すように、外筒３０内に配置されるカメラガイド３１は略円筒状であり周側面下端部（図示例では略下半分）において半周分だけ切り欠かれている。さらに、カメラガイド３１の下端部には径方向内側に向けて板状の補助部５３が延出されており上下方向に貫通穴が形成されている。この貫通穴にガイド棒３６が取り付けられており、ガイド棒３６は上下方向に可動可能となっている。また、ガイド棒３６の上下両端は貫通穴より大きく形成されているので抜け落ちることはない。また、ガイド棒３６の下端部には板状の重り５０が取り付けられており、普段は、重り５０によってガイド棒３６は下にぶらさがっている状態である。（図６（Ｂ））
【００３１】
カメラガイド３１には、前記切り欠き部に対面する周側壁に、略矩形状の穴ｆが形成されている。そして、この穴ｆには板材で形成された略くの字形のガイド板３７が取り付けられる。その際、ガイド板３７はその一片３７ａを穴ｆ内に配置され、且つその他片３７ｂをカメラガイド３１の径方向内側に向けた状態で、前記一片３７ａの上部が板ばね５１を介して、カメラガイド３１の内周側面に取り付けられる。
そして、ガイド棒３６がガイド板３７の他片３７ｂを上方へ押し上げる際には、この板ばね５１によりガイド板３７の他方は略水平まで回転可能とされる。
【００３２】
カメラガイド３１上端中央部には貫通穴ｇが形成されており、内視鏡３３のケーブル３４はこの貫通穴ｇより上方へ導出可能とされている。また、カメラガイド３１上端部にはネジ穴が形成されており、これに送り棒３２の先端がネジ止めされる（５２）。
カメラガイド３１内に収納される内視鏡３３は、径の大きい配水管７３を調べる際にはバランサーが内蔵されており、天地が正しく向くよう構成されているので、管の上下を確実に観察できる。
【００３３】
本実施例において前記外筒３０の外周側面部には、図４に示すように、水質監視計へ送水するための採水口４２、送り棒３２上端に設置されたハンドル４６と締結可能な取っ手４５、水圧を測定するための圧力計４３やエア抜き４４を備えている。
【００３４】
次に、上記実施例の図４に示す内視鏡挿入器の使用について説明する。
まず、外筒３０の下端部を消火栓７０の口金１３に取り付ける。次に消火栓７０のバルブを開ける。これにより、外筒３０内は水で満たされる。しかし、外筒３０の上端部にはパッキン３５が設置されているので、外部へ水が漏れる心配はない。ところで、このパッキン３５は周方向の少なくとも一部が切り欠かれた割シールとなっている。従って、パッキン３５は送り棒３２やケーブル３４を側面から挟み込むように着脱可能である。よって、パッキン３５を交換する際、内視鏡のケーブル３４や送り棒３２をその端部から抜かずにすむ。そしてこのパッキン３５は、これより小径のパッキンボックス４０に収納されることで、内視鏡のケーブル３４と送り棒３２を水密状態でしっかりと挟み込む。
【００３５】
次に、送り棒３２をハンドル４６で押し込みながらカメラガイド３１を配水管７３の底に達する位置まで下げていく。配水管７３の底にガイド棒３６の下端部が到達しても、そのガイド棒３６を補助部５３に対し上方へ押し上げながら、さらにカメラガイド３１を下方へ押し下げることができる。これに伴い、ガイド板３７は保持されている一端部を中心にしてガイド棒３６により略水平になるまで押し上げられていく。そして、止まったところでハンドル４６と取っ手４５とを紐もしくはチェーンなどで締結し送り棒３２が水圧により押し上げられてこないように固定する。それから、ケーブル３４を押し込みながら内視鏡３３を配水管７３内に進入させていく。このとき内視鏡３３は、ガイド板３７に沿って送りたい方向に確実に進入させる事ができる。もしガイド板３７がないなら、内視鏡３３の進行方向を確実なものにできず作業に支障をきたしてしまうが、本実施例では図６の二点鎖線で示すように、ガイド板３７の他片３７ｂを略水平に向けられるので、内視鏡３３を確実に送りたい方向へ進ませることができる。
【００３６】
内視鏡３３にはカメラ本体と照明用のライトが内蔵されている。図７に示すように、カメラからの画像はケーブル３４を介して車両内のメインモニターに映し出され、且つ録画装置により録画されていく。また、内視鏡３３は遠隔操作が可能とされており問題箇所を見ていくことが可能とされている。また、ケーブル３４の延長距離から考えて、ほぼ全管の調査が可能である。
【００３７】
図７は、内視鏡挿入器の使用状態を示す図である。
この図に示すように、内視鏡３３のケーブル３４が巻かれているドラム６０には、ケーブル長センサー６１とサブモニター６２が取り付けられている。ケーブル長センサー６１があることで、挿入されているケーブル３４の長さが分かり、破損部や錆などが消火栓からどれくらいの位置にあるのか把握することが可能である。また、内視鏡のケーブル３４を押し込んでいく人は、サブモニター６２があることにより破損箇所で挿入を一旦止め、その部分を重点的に調べることが可能である。
【００３８】
また、ケーブル３４は外筒３０内に押し込まれる前に、オゾン滅菌装置６３を通過することで、たとえ路上に落ちている有害物などに接触したとしても、配水管７３内に雑菌を持ち込むことがなく安全である。
【００３９】
外筒３０の採水口４２は、ホース等で水質監視計に接続される。これにより、採水口４２から出てくる水は、水質監視計に送られる。そして、圧力、誘電率、色度、濁度などが検査される。その他にも、PHや残留塩素なども測定可能である。
【００４０】
図８に示すように、内視鏡３３を制御ないし内視鏡３３から送られてくる映像を記録する機器（カメラコントロール、ＤＶＤビデオ）や、水質監視計は本実施例では車両に搭載される。これにより、移動式の現場での観察が可能になり作業効率が上がる。更に、その他の機器も載せられることで、移動式の計測が可能とされる。
また、水質監視計は水平に保たれなければ、その機能を十分に果たすことができないが本実施例では、車両内に台を搭載しその台上に水質監視計を設置する。
この台は、水平調整機構が備えられている。これは、前後、左右の二段調整式であり水準器を見ながら調整をするので、たとえ坂道で車両を停車させたとしても、水質監視計を水平に保ち観察を行うことができる。つまり、水平調整機構を水質監視計の下部防振ゴムの上部に取り付けることで水平を保ち、更に走行時の防振の役目をする事もできる。
【００４１】
今までは、消火栓に直接機器を接続したが、消火活動に支障をきたさないように、消火栓ソケットを用いるのが好ましい。図９は、このソケットの一例を示す図である。このソケットは、横向き略Ｔ字形の管材からなり、下端部に消火栓７０の口金１３への装着部Ａが形成されている。
ソケットの下端部Ａは消火栓７０の口金１３へ取り付けられるものである。出口側Ｂ,Ｃは二叉になっており片方Ｃにそれぞれの機器を接続する。作業中に消火活動を行う必要がでた場合には、もう片方Ｂの出口に消火用のホースを接続することで、消火活動の支障をきたさずにすむ。
つまり、Ａは消火栓の口金に取り付け可能とされており、Ｂには口金が備えられており消火ホースが取り付け可能とされている。また、ＣはＡに対して上下方向に配置されていて、Ｃにも口金が備えられており、上述してきたような機器が装着可能とされている。さらに、Ｂには弁９０が設置されており、Ｂへの管路を開閉可能とされている。
また、図１４は、消火栓ソケットの別の例を示す図である。
このソケットは、略Ｙ字形であり、前記消火栓ソケットと同様にして使用できる。つまり、上下方向に沿うパイプの中途から略Ｌ字状に上方へ向けて分岐管が設けられた形状のソケットとされている。上下方向に沿うパイプは、下端部Ａが消火栓７０の口金（町の式口金）への装着部とされ、上端部Ｃが本発明の機器への装着部とされている。また、分岐管は開閉弁９０を介して、上端部Ｂが消火ホースへの装着部とされている。なお、各端部Ｂ，Ｃは、町の式口金とされている。
【００４２】
上記実施例の機器によれば不断水による、水質、流量、内視鏡の調査などが可能とされる。
また、調査測点には平成１２年４月ＪＷＷＡに規定され、古くは昭和５５年位から使用されている地下式ボール式消火栓を使用するが、この消火栓は配水管を中心に市街地あらゆるところにあるので、必要な箇所での情報を得ることができる。更に、管路のマッピングが盛んに進んでいるが、上記実施例の機器によれば管内マッピングも併せて情報を取り入れることができ、管の取替、赤水または障害物対策がいち早く確実に目視できる。
加えて、内視鏡挿入器を用いることで、約７０メートルの管路間を観察することができ、消火栓と消火栓の間は約１００〜１２０メートルあるが、両消火栓から観察することで、ほぼ全長を観察することが可能である。
そして、管内マッピングは記録・録画されるので、次回、観察や計測を行った場合には経年変化等も観察でき、その対策も熟考することができる。
【００４３】
内視鏡により内面塗装の状況、残留物の確認、継ぎ手部分の錆また異物等の溜まり具合、水流に含まれる気泡状況、濁り状況、いわゆる錆瘤、スケール状況、また気泡等の観察による漏水状況、さらに管底に沈殿する微粒子等による成分目視確認等に対する対策が明確になる為、工事などの予算等も立て易くなる。
【００４４】
更に、流量測定器は上述したように、配管の多点（消火栓）で不断水により測定が可能なことから、今まで知り得なかった情報を得ることができる。
例えば、時間による流量分布、流向、流速等の情報を得られるが、この結果、予定流量等をとるためのバルブ調整がしやすくなる。
漏水調査についても同一配管ラインで図２のように２点間に流量測定器を設置することにより、２〜３日不断水、無人で測定が可能である。これにより、この２点間の使用水量を算出することで、かなりの精度で損失水量が判明する。
【００４５】
また、時間帯、その他のファクターを考慮していく事により漏水の確認が絞り込める。この時点で、内視鏡３３で詳細に観察測定することにより、消火栓から何メートルの地点に漏水箇所があるか判明することができる。
特に本実施例で使用のカメラ照明はキセノンランプを使用するので、明るい映像として鮮明に捉えやすくなっている。
更に、配水管が１５０φ以上用のカメラはローテンションエンドレス回転（自動水平機能付き）のため、管の部分箇所まで特定できる。
【００４６】
なお、本発明の流量測定器や内視鏡挿入器は上記実施例の構成に限らず適宜、変更可能である。例えば、内視鏡挿入器において、大きな配水管を調査する際には、内視鏡のサイズを変えたり、内視鏡に内蔵されているライトを増やしたりすることもできる。
また、圧力計の設置箇所は適宜変更可能であり、例えば水質監視計への採水口に設置してもよい。
【００４７】
ところで、上記実施例では、配水管に対して消火栓がほぼ垂直に設置されている場合について説明してきたが、以下に述べるように、消火栓の部分が略Ｌ字状に屈曲されている場合についても適用することができる。
【００４８】
消火栓の部分が略Ｌ字形に屈曲されているものとして、北九州市型の消火栓８０が知られている。
図１１は、北九州市型消火栓８０に本実施例の内視鏡挿入器を設置した状態を示す概略図であり、図１２は、図１１の状態から送り棒３２を押し込んだ状態を示す概略図であり、図１３は、図１２の状態から内視鏡３３を配水管７３内に送り出した状態の平面図である。
北九州市型消火栓８０は、図１１に示すように、横管部８１と縦管部８２とが縦管部８２の下部に形成された円弧状の屈曲部８３を介して一体化されてなる。横管部８１の先端部は、配水管７３の側面に接続され、縦管部８２の上部には口金（町の式口金）８９が設けられていて消火ホース等が着脱可能に設けられる。
【００４９】
このような消火栓８０の場合、前記のような内視鏡挿入器では、送り棒３２は変形しないので内視鏡３３を配水管７３に送り込むことができない。
そこで、このような消火栓８０においても、内視鏡３３を配水管７３に送り込むことができるように送り棒３２の全体もしくはその一部を変形可能な構造として対応する。
【００５０】
本実施例の送り棒３２の下方は、比較的短いパイプ８５が複数個連結された構造とされる。
各パイプ８５は、円筒状に形成され、その上端部の直径方向に対向した位置に、上方へ向けて外周面側が削られた薄肉の内側連接片８６が一体形成されている。また、パイプ８５の下端部の直径方向に対向した位置には下方に向けて内周面側が削られた薄肉の外側連接片８７が一体形成されており、内側連接片８６と外側連接片８７は、同軸上に配置されている。隣接するパイプ８５，８５同士は、上側パイプ８５の下端部の外側連接片８７が、下側パイプ８５の上端部の内側連接片８６を挟み込む状態で連結される。その際、周側壁の直径方向に対向した二ヶ所において、それぞれピン部材８８，８８で揺動可能に連結される。そのピン部材８８は、パイプ８５の長手方向に直線上に配置される。これにより、一方向にのみ屈曲可能な送り棒３２が構成される。
【００５１】
このような構成の送り棒３２の先端部には、上記実施例と同様のカメラガイド３１が接続され、そのカメラガイド３１には内視鏡３３が収納される。なお、送り棒３２の上端部３２Ａは、前記実施例と同様の細長い丸棒状とされている。
そして、これら各部材は外筒３０内へ差し込まれ、丸棒３２Ａとケーブル３４が外筒３０上端部のパッキン３５から外方へ導出される。
【００５２】
次に、本実施例の内視鏡挿入器を用いて、北九州市型消火栓８０から配水管７３へ内視鏡３３を挿入して、管路状況を調査する方法について述べる。
まず、消火栓８０の弁（リフト式バルブ）８４を閉じた状態で、縦管部８２上部の口金８９に外筒３０の下部を連結する。次に消火栓８０の弁８４を開く。これにより、配水管７３からの水が縦管部８２や外筒３０へ進入することになるが、外筒３０の上部へ設けたパッキン３５により水が外部へ漏れ出すことはない。その状態で、送り棒３２上部の丸棒３２Ａを下方へ押下げる。
これにより、カメラガイド３１を介して内視鏡３３が、消火栓８０の口金８９から消火栓８０の縦管部８２へ差し込まれ、消火栓８０内を進んでいく。
【００５３】
そして、縦管部８２の屈曲部８３を通過する際には、その屈曲部８３に沿って、送り棒３２下部の前記多数のパイプ８５の連結部が屈曲していくことで、カメラガイド３１は縦管部８２から横管部８１へ曲がって配水管７３側へさらに進んでいくことになる。
このようにして、カメラガイド３１下端部が配水管７３周側面に接触したなら、前記実施例の場合と同様に、ガイド棒３６がガイド板３７を押し上げていき、送り棒３６をそれ以上押し込めない状態で止まることになる。そこで、今度は、ケーブル３４の方を消火栓８０の内部へ差し込むように繰り出していけばよい。これにより、内視鏡３３はガイド板３７に沿ってカメラガイド３１から配水管７３内に確実に送り込まれる。
【００５４】
ところで、内視鏡のケーブル３４は、前記送り棒３６下部を構成するパイプ８５内に通してもよいし、パイプ８５の外へ出して送り棒３２に沿わしてもよい。なお、カメラガイド３１の長手寸法は、前記縦管部８２下部の屈曲部８３を通過できる長さであるが、その長さ寸法内なら配水管７３の直径よりも長くしても構わない。また、カメラガイド３１も送り棒３２下部と同様に、変形可能な構造としてもよい。
【００５５】
内視鏡３３を配水管７３内に送り込む際、前記ガイド板３７がどの方向に向いているか外部からは分からない。そこで、ガイド板３７の先端がどの方向に向いているかを示す印を、送り棒３２上端のハンドル４６に設けるのが好ましい。
【００５６】
例えば、棒状のハンドル４６の場合、ハンドル４６の軸方向とガイド板３７の可動方向とを合わすように送り棒３２にハンドル４６を設置し、ハンドル４６のどちらかの端に印を付ければ、ハンドル４６の向きにより、ガイド板３７の方向を知ることが可能となる。
また、円形のハンドル４６の場合も同様に、ガイド板３７の向いている方向に対応する位置に印を設置すれば、ハンドル４６を回転させても、ガイド板３７の位置を知ることが可能である。
【００５７】
これにより、ハンドル４６を押し込むだけでなく、ねじ込みながら内視鏡３３を入れなければならない際でも、前記印があることで、ガイド板３７の向いている方向が分かり、確実に内視鏡３３を配水管７３に送り込むことができる。
さらに、消火栓を中心として、配水管の一方向を調査した後に、反対方向を調査する場合でも、いったん消火栓からカメラガイド３１を抜き出さなくとも、ハンドル４６を回転させることで、送り棒３２も連動して回転し、カメラガイド３１ひいてはガイド板３７も回転するのでスムーズに作業を進めることが可能となる。
【００５８】
図４、図５に示すように前記パッキンボックス４０は、外筒３０の上端部に設けられたフランジｄにパッキン４７を介して取付フランジｅが設けられ、その取付フランジｅにパッキンボックス４０がボルト４８により固定される。
【００５９】
また、送り棒３２とカメラガイド３１の接合部５２、若しくは送り棒３２とハンドル４６との接合部５４の少なくとも一方は、ネジ止め等により着脱可能に接続され、内視鏡本体３３とそのケーブル３４の先端部もその結合部５５で着脱可能な構造とされている。
【００６０】
このような構造により、パッキンボックス４０から送り棒３２や内視鏡のケーブル３４等を抜き外し、外筒３０と分離することができる。よって、ドラムに巻いたケーブル３４だけを持ち運ぶことも可能となる。つまり、内視鏡３３と、送り棒３２やカメラガイド３１と、外筒３０を、ケーブル３４とは別に運搬でき、使用時には、作業現場にて組み立てるようにすれば、かさばることがなく運搬が容易であり、作業効率が上がる。
【００６１】
また、このパッキンボックス４０は、上筒３８上端部に設置される例を示してきたが、下筒３９の上端部にフランジ等を介して設置するようにしてもよいし、消火栓７０，８０の口金に直に設置するようにしてもよい。この場合、パッキンボックス４０の下端部を下筒３９の下端部と同様に、消火栓７０，８０の口金１３，８９に装着可能な構造とする。
このような構造にすることで、消火栓７０，８０に外筒３０を装着することが困難な場合、消火栓７０，８０の口金１３，８９に直にパッキンボックス４０を設置して作業をすることが可能である。
【００６２】
また、カメラガイド３１に収納できない内視鏡３３を使用する際には、送り棒３２とカメラガイド３１とが着脱可能であるので、カメラガイド３１を送り棒３２から外して、両部材のない状態で本装置を使用する。
この場合、内視鏡のケーブル３４をパッキンボックス４０から押し込んでいくことにより、大きいカメラヘッドの内視鏡３３を直接に配水管７３に送り込むことが可能である。
【００６３】
カメラガイド３１は、ガイド棒３６がガイド板３７を押し上げていく構造であること示したが、この他ガイド板３７がカメラガイド３１に対して一体形成された構造でもよい。ただ、消火栓７０，８０や外筒３０内を通過するときに、ガイド板３７を邪魔にならないように収納しておき、配水管７３へ到達した後に、拡張する上記実施例の構成の方が、内視鏡３３の誘導には有利といえる。
また、本実施例では、上水道配水管に本装置を使用する方法を示したが、この他、ガス管や他の配管に本装置を使用しても構わない。
【００６４】
【発明の効果】
以上詳述したように、本発明の流量測定器と内視鏡挿入器によれば、容易に配水管内の様子を調べることができる。その結果、流量、流向、水質や配水管内の破損部などの情報がとれる管路マッピングを行うことができる。また、正確な漏水情報を得ることもできるので、これに対する対策予算も立て易くなる。
【図面の簡単な説明】
【図１】本発明の流量測定器の一実施例における設置状態を示す概略断面図である。
【図２】本発明の流量計の使用状態を設置した場合を示す概略断面図である。
【図３】配水管の分岐部における流量比の測定例を示す図である。
【図４】本発明の内視鏡挿入器の一実施例における使用状態を示す概略断面図である。
【図５】本発明における内視鏡挿入器の外筒上部を示し、（Ａ）は断面図、（Ｂ）は平面図である。
【図６】本発明における内視鏡挿入器の下端部を示す図であり、（Ａ）は正面から見た縦断面図、（Ｂ）は側面から見た縦断面図である。
【図７】本発明における内視鏡挿入器の使用状態を示す概略図である。
【図８】本発明における車両内部を示す概略平面図である。
【図９】本発明における消火栓ソケットの一例を示す概略断面図である。
【図１０】上水道配水管とそれに接続された地下式消火栓を示す概略図である。
【図１１】本発明における内視鏡挿入器を北九州市型消火栓に設置した状態を示す概略図である。
【図１２】本発明における内視鏡挿入器の北九州市型消火栓での使用状態を示す概略図である。
【図１３】図１２の状態から内視鏡を配水管内に送り出した状態を示す概略図である。
【図１４】本発明における消火栓ソケットの別の例を示す正面図である。
【符号の説明】
１  挿入棒
２  保持手段
３  流量センサー
４  下枠
５  ターンバックル
６  上枠
７  案内部
８  スプリング
９  圧力ジャッキ
１０  パッキン
２０  流量計コントロールユニット
３０  外筒
３１  カメラガイド
３２  送り棒
３３  内視鏡
３４  内視鏡のケーブル
３５  パッキン
３６  ガイド棒
３７  ガイド板
４０  パッキンボックス
４２  採水口
４３  圧力計
４５  取っ手
４６  ハンドル
４７  パッキン
６３  オゾン滅菌装置
８０  北九州市型消火栓
８１  横管部
８２  縦管部
８３  屈曲部
８４  弁（リフト式バルブ）
８５  パイプ
８６  内側連結片
８７  外側連結片
８８  ピン部材
【図１】
0003704104.tif 000002
【図２】
0003704104.tif 000003
【図３】
0003704104.tif 000004
【図４】
0003704104.tif 000005
【図５】
0003704104.tif 000006
【図６】
0003704104.tif 000007
【図７】
0003704104.tif 000008
【図８】
0003704104.tif 000009
【図９】
0003704104.tif 000010
【図１０】
0003704104.tif 000011
【図１１】
0003704104.tif 000012
【図１２】
0003704104.tif 000013
【図１３】
0003704104.tif 000014
【図１４】
0003704104.tif 000015